(57)【要約】      （修正有）【課題】人体洗浄装置の衛生性を向上させ、さらに、人体洗浄装置を連続して使用する。【解決手段】人体洗浄装置は、洗浄水を導くホースと、前記ホースに接続されたノズル本体部と、前記ホースと前記ノズル本体部を介して供給された洗浄水を吐水する吐水口を有し前記ノズル本体部に着脱可能とされたノズル先端部と、を有するハンドノズルと、前記ノズル先端部を取り付けた状態で前記ノズル本体部に収納することができず、前記ノズル先端部を取り外した前記ノズル本体部を収納可能な収納部と、を備えたことを特徴とする。これにより、ノズル先端部をノズル本体部から取り外さないと、ノズルを収納部に収納できない。従って、汚染されたノズル先端部が連続して使用され続けることが防止される。【選択図】図３
2010255365.tif 000002
【特許請求の範囲】
【請求項１】
洗浄水を導くホースと、
前記ホースに接続されたノズル本体部と、前記ホースと前記ノズル本体部を介して供給された洗浄水を吐水する吐水口を有し前記ノズル本体部に着脱可能とされたノズル先端部と、を有するハンドノズルと、
前記ノズル先端部を取り付けた状態で前記ノズル本体部を収納することができず、前記ノズル先端部を取り外した前記ノズル本体部を収納可能な収納部と、
を備えたことを特徴とする人体洗浄装置。
【請求項２】
前記収納部は、前記ノズル本体部を収納するための孔部を有し、
前記孔部の深さが前記ノズル先端部の長さよりも浅く、前記孔部の幅が前記ノズル先端部の太さよりも広く形成されていることにより、前記収納部は、前記ノズル先端部を収納することができないことを特徴とする請求項１に記載の人体洗浄装置。
【請求項３】
前記孔部の底に、少なくとも１つの突起が設けられていることを特徴とする請求項２に記載の人体洗浄装置。
【請求項４】
前記収納部に前記ノズル本体部を収納した状態において、前記ノズル本体部内に設けられている開口部と前記突起とが嵌合することを特徴とする請求項３に記載の人体洗浄装置。
【請求項５】
前記収納部の前記孔部に前記ノズル本体部を収納した状態において、前記孔部の内壁と前記ノズル本体部の外面とが嵌合することを特徴とする請求項２または３に記載の人体洗浄装置。
【請求項６】
前記収納部の前記孔部に前記ノズル本体部を収納した状態において、前記孔部の側面に設けられた凸部と前記ノズル本体部の外面に設けられた凹部とが嵌合することを特徴とする請求項１または２に記載の人体洗浄装置。
【請求項７】
前記孔部の側面に、前記ノズル先端部の太さよりも広く、前記ノズル本体部の太さよりも狭い切り欠きが少なくとも１つ設けられていることを特徴とする請求項２または３に記載の人体洗浄装置。
【請求項８】
ハンドノズルからノズル先端部を取り除いたノズル本体部を収納することが可能な収納装置であって、
前記収納装置は、前記ノズル本体部に前記ノズル先端部を取り付けたハンドノズルを収納することができないことを特徴とする収納装置。
【発明の詳細な説明】
【技術分野】
【０００１】
本発明は、人体洗浄装置及び収納装置に関する。
【背景技術】
【０００２】
洋式腰掛便器に腰掛けた被洗浄者（例えば、被介護者）の「おしり」等を洗浄水で洗浄する場合には、温水洗浄便座装置の吐水ノズルを便器内に進出し、便座に座った被洗浄者の「おしり」などに向けて洗浄水を噴射する。そうすると、被洗浄者の局部を洗浄することができる。  
しかし、このような人体洗浄装置では、洗浄中に吐水ノズル表面に汚水が付着する場合がある。そして、このまま吐水ノズルを放置すると、吐水ノズル表面に汚物が固着し、吐水ノズルが不衛生となったり、汚物を要因とする感染を引き起こしたりする。
【０００３】
これに対し、吐水ノズルの先端部が着脱できる構造が開示されている。例えば、携帯式の人体洗浄装置では、その吐水ノズルの先端部を着脱可能な構造とした先行例がある（例えば、特許文献１、２参照）。また、通常の温水洗浄便座装置においても、その吐水ノズルの先端部を着脱可能な構造とした先行例がある（例えば、特許文献３参照）。さらに、吐水ノズルから吐水される洗浄水で、吐水ノズル自体を洗浄する構造も開示されている（例えば、特許文献４参照）。このような構造であれば、ノズル先端部を選択的に洗浄することが可能になる。
【０００４】
しかしながら、携帯式の人体洗浄装置では、洗浄水を貯水するボトル内の洗浄水の量に限りがある、また、時間がたてば、洗浄水の温度は冷めてしまう。従って、携帯式の人体洗浄装置を連続して使用することは難しい。  
一方、通常の温水洗浄便座装置では、洗浄水の補充を行うことなく連続的に温水が吐水されるものの、その汚れを忘れて、吐水ノズルが誤って使い続けられてしまうという問題がある。  
そして、このような人体洗浄装置、温水洗浄便座装置では、使用の度に必ず吐水ノズルを洗浄するという構成になっていない。このため、介護施設などで求められる高い衛生性が保てない。
【０００５】
また、近年、介護施設、病院では院内感染の問題が浮上している。そのため、人体洗浄装置に関しては、高レベルの衛生性が必要とされている。従って、吐水ノズルから吐水される洗浄水で吐水ノズルを洗浄する程度では、充分な衛生性が確保できない。
【先行技術文献】
【特許文献】
【０００６】
【特許文献１】特開昭６１−１９６９２６号公報
【特許文献２】特開２０００−１３９７６０号公報
【特許文献３】特開２０００−２９１１０４号公報
【特許文献４】特開平０７−１９４４９７号公報
【発明の概要】
【発明が解決しようとする課題】
【０００７】
本発明は、上記の課題を解決することにある。
【課題を解決するための手段】
【０００８】
本発明の一態様によれば、洗浄水を導くホースと、前記ホースに接続されたノズル本体部と、前記ホースと前記ノズル本体部を介して供給された洗浄水を吐水する吐水口を有し前記ノズル本体部に着脱可能とされたノズル先端部と、を有するハンドノズルと、前記ノズル先端部を取り付けた状態で前記ノズル本体部を収納することができず、前記ノズル先端部を取り外した前記ノズル本体部を収納可能な収納部と、を備えたことを特徴とする人体洗浄装置が提供される。
【０００９】
また、本発明の一態様によれば、ハンドノズルからノズル先端部を取り除いたノズル本体部を収納することが可能な収納装置であって、前記収納装置は、前記ノズル本体部に前記ノズル先端部を取り付けたハンドノズルを収納することができないことを特徴とする収納装置が提供される。
【発明の効果】
【００１０】
本発明によれば、連続して吐水可能な人体洗浄装置の衛生性が向上する。
【図面の簡単な説明】
【００１１】
【図１】人体洗浄装置の要部斜視模式図である。
【図２】人体洗浄装置の要部斜視模式図である。
【図３】人体洗浄装置の作用効果を説明する図である。
【図４】人体洗浄装置の作用効果を説明する図である。
【図５】人体洗浄装置の作用効果を説明する図である。
【図６】人体洗浄装置の作用効果を説明する図である。
【図７】ハンドノズルの要部斜視模式図である。
【図８】収納部の要部斜視模式図である。
【図９】人体洗浄装置の作用効果を説明する図である。
【図１０】人体洗浄装置の作用効果を説明する図である。
【図１１】収納部の要部斜視模式図である。
【図１２】人体洗浄装置の作用効果を説明する図である。
【発明を実施するための形態】
【００１２】
本実施の形態では、以下の発明が提供される。  
第１の発明は、洗浄水を導くホースと、前記ホースに接続されたノズル本体部と、前記ホースと前記ノズル本体部を介して供給された洗浄水を吐水する吐水口を有し前記ノズル本体部に着脱可能とされたノズル先端部と、を有するハンドノズルと、前記ノズル先端部を取り付けた状態で前記ノズル本体部を収納することができず、前記ノズル先端部を取り外した前記ノズル本体部を収納可能な収納部と、を備えたことを特徴とする人体洗浄装置である。  
これにより、ハンドノズルを使用後に、ハンドノズルを収納部に収納しようとしても、ノズル先端部をノズル本体部から取り外さないと、ハンドノズルを収納部に収納できない。従って、汚染されたノズル先端部が連続して使用され続けることが防止される。
【００１３】
第２の発明は、第１の発明において、前記収納部は、前記ノズル本体部を収納するための孔部を有し、前記孔部の深さが前記ノズル先端部の長さよりも浅く、前記孔部の幅が前記ノズル先端部の太さよりも広く形成されていることにより、前記収納部は、前記ノズル先端部を収納することができないことを特徴とする。  
これにより、収納部の孔部がノズル先端部に比べ浅く広いため、ノズル先端部をノズル本体部に取り付けた状態では、安定してハンドノズルを収納部に収納することができない。
【００１４】
また、第３の発明は、第２の発明において、前記孔部の底に、少なくとも１つの突起が設けられていることを特徴とする。  
これにより、ノズル先端部が突起に接触するため、ノズル先端部を本体部に取り付けた状態では、安定してハンドノズルを収納部に収納することができない。
【００１５】
また、第４の発明は、第３の発明において、前記収納部に前記ノズル本体部を収納した状態において、前記ノズル本体部内に設けられている開口部と前記突起とが嵌合することを特徴とする。  
これにより、ノズル先端部が突起に当たってしまうため、ノズル先端部を本体部に取り付けた状態では、安定してノズルを収納部に収納することができない。但し、孔部の突起とノズル本体部内に設けられている開口部が嵌合するので、安定してノズル本体部を収納部に収納することができる。
【００１６】
また、第５の発明は、第２または第３の発明において、前記収納部の前記孔部に前記ノズル本体部を収納した状態において、前記孔部の内壁と前記ノズル本体部の外面とが嵌合することを特徴とする。  
これにより、収納部の孔部がノズル先端部に比べ浅く広いため、ノズル先端部をノズル本体部に取り付けた状態では、安定してハンドノズルを収納部に収納することができない。但し、孔部の内壁とノズル本体部の外面が嵌合するので、安定してノズル本体部を収納部に収納することができる。
【００１７】
また、第６の発明は、第１または第２の発明において、前記収納部の前記孔部に前記ノズル本体部を収納した状態において、前記孔部の側面に設けられた凸部と前記ノズル本体部の外面に設けられた凹部とが嵌合することを特徴とする。  
これにより、収納部の突起がノズル先端部に接触するため、ノズル先端部をノズル本体部に取り付けた状態では、安定してハンドノズルを収納部に収納することができない。但し、孔部の凸部とノズル本体部の凹部が嵌合するので、安定してノズル本体部を収納部に収納することができる。また、ノズル本体部を収納する際に、決められた位置で、孔部の凸部とノズル本体部の凹部が嵌合する。これにより、ノズル本体部の収納の向きを決めることができ、ノズル本体部の収納部からの取り出しが容易になり、次回使用時の使い勝手が向上する。
【００１８】
また、第７の発明は、第２または第３の発明において、前記孔部の側面に、前記ノズル先端部の太さよりも広く、前記ノズル本体部の太さよりも狭い切り欠きが少なくとも１つ設けられていることを特徴とする。  
これにより、収納部の切り欠きからノズル先端部が容易に外れてしまうため、ノズル先端部をノズル本体部に取り付けた状態では、安定してハンドノズルを収納部に収納することができない。
【００１９】
また、第８の発明は、ハンドノズルからノズル先端部を取り除いたノズル本体部を収納することが可能な収納装置であって、前記収納装置は、前記ノズル本体部に前記ノズル先端部を取り付けたハンドノズルを収納することができないことを特徴とする収納装置である。  
これにより、ハンドノズルを使用後に、ハンドノズルを収納装置に収納しようとしても、ノズル先端部をノズル本体部から取り外さないと、ハンドノズルを収納装置に収納できない。従って、汚染されたノズル先端部が連続して使用され続けることが防止される。
【００２０】
以下、図面を参照しつつ、本発明の実施の形態の具体例について説明する。なお、本実施の形態では、同一の部材には同一の符号を付し、一度説明した部材についての再度の説明については適宜省略する。
【実施例１】
【００２１】
図１は、人体洗浄装置の要部斜視模式図である。図１では、人体洗浄装置１００Ａがトイレ装置１０に組み込まれた状態が示されている。  
人体洗浄装置１００Ａは、ケーシング部１１０と、ホース部１２０と、ハンドノズル１３０Ａと、収納部（収納装置）１４０Ａと、を有している。この人体洗浄装置１００Ａは、トイレ装置１０の便器５００上に設けられている。
【００２２】
人体洗浄装置１００Ａにおいては、ケーシング部１１０内に、洗浄水の温度を調節する熱交換器（温度調節器）１１１を設けている。熱交換器１１１には、洗浄水を貯留するためのタンク（図示しない）と、貯留された洗浄水を加熱するためのヒータ（図示しない）等が設けられている。熱交換器１１１は、所謂「貯湯式」の熱交換器である。
【００２３】
また、ケーシング部１１０内には、熱交換器１１１のほか、熱交換器によって加熱された洗浄水を各内部配管に分岐する分岐ユニット（図示しない）、各部位間を接続する内部配管（図示しない）、洗浄水の経路を切り替える切替弁（図示しない）、または、これらの制御をする制御部１５０等を備えている。
【００２４】
また、人体洗浄装置１００Ａにおいては、ケーシング部１１０からホース部１２０を延在している。そして、熱交換器１１１によって加熱された洗浄水をホース部１２０にまで導水することができる。ホース部１２０は、例えば、樹脂製のパイプが螺旋状に巻かれた形状をしている。このような形態により、ホース部１２０全体を容易に伸縮したり、曲げたりすることができる。
【００２５】
また、人体洗浄装置１００Ａにおいては、ホース部１２０の一端にハンドノズル１３０Ａを取り付けている。そして、ホース部１２０に供給された洗浄水をハンドノズル１３０Ａにまで導水することができる。  
ハンドノズル１３０Ａは、所謂、手持ち式の洗浄ノズルである。使用者は、ハンドノズル１３０Ａを把持しながら、ハンドノズル１３０Ａに設けられた操作レバー１３１を操作することにより、ハンドノズル１３０Ａから洗浄水を吐水することができる。そして、ハンドノズル１３０Ａの先端部分は、所謂、着脱式の構造をしており、その先端部分を取り外すことができる。
【００２６】
また、人体洗浄装置１００Ａにおいては、便器５００の側壁に、ハンドノズル１３０Ａの一部分を収納することができる収納部１４０Ａを設けている。例えば、ハンドノズル１３０Ａが未使用状態の場合は、使用者は、ハンドノズル１３０Ａの一部分を収納部１４０Ａに収納することができる。
【００２７】
この収納部１４０Ａの中央には、孔部（収納孔）１４１Ａが設けられ、この孔部１４１Ａ内に、ハンドノズル１３０Ａの先端部分が取り外されたハンドノズル１３０Ａが挿入される。また、孔部１４１Ａからは、便器５００内に連通する排水口１４２が設けられている。このような排水口１４２を設けることにより、ハンドノズル１３０Ａから吐水される洗浄水を排水口１４２を介して便器５００内に排水することもできる。
【００２８】
そして、このような人体洗浄装置１００Ａを組み込んだトイレ装置１０は、例えば、床等の地面に設置され、洋式腰掛け型の便器５００と、便蓋３００と、便座４００と、を有している。また、便蓋３００及び便座４００は、例えば、人体洗浄装置１００Ａに軸支され、便器５００に対して開閉自在になる。この便器５００内の洗い流し方式は、いわゆる「ロータンク式」でもよく、「水道直圧式」でもよい。
【００２９】
なお、人体洗浄装置１００Ａは、便座４００への被洗浄者の着座を検知する着座センサ１７０を備えている。また、着座センサ１７０の代わりに、トイレ室への被洗浄者または使用者の入室を検知する入室検知センサ１８０を設けてもよい。さらに、着座センサ１７０及び入室検知センサ１８０を同時に設けてもよい。そして、人体洗浄装置１００Ａ内には、上述した温度調節制御、内部配管のバルブ切替制御、センサからの信号検知等を行う制御部１５０が設けられている。
【００３０】
また、本実施の形態では、熱交換器１１１の形態を貯湯式に限定しない。例えば、供給された洗浄水を瞬間的に温めて送出する、所謂「瞬間式」の熱交換器をも、本実施の形態に含めるとする。  
そして、この人体洗浄装置１００Ａでは、使用者に対し、ハンドノズル１３０Ａの先端部分の交換を誘発する機能を備えている（後述）。
【００３１】
図２は、ハンドノズルの要部斜視模式図である。図２では、ハンドノズル１３０Ａのほか、ハンドノズル１３０Ａに連結したホース部１２０が示されている。  
図２（ａ）に示すように、ハンドノズル１３０Ａは、本体部１３２Ａと、本体部１３２Ａに接続されたノズル先端部１３３を有している。そして、使用者は、本体部１３２Ａを把持しつつ、ハンドノズル１３０Ａを操作することができる。また、ノズル先端部１３３の先端には、洗浄水を吐水するための吐水口１３４が設けられている。
【００３２】
また、ハンドノズル１３０Ａの内部には、吐水口１３４にまで連通する内部経路（開口部）１３５が設けられている（図２（ｂ）参照）。そして、使用者がハンドノズル１３０Ａの本体部１３２Ａを把持しつつ、操作レバー１３１を矢印Ａの方向に操作すると、操作レバー１３１と本体部１３２Ａとの間に設けられた操作ボタン１３６が押圧される。これにより、内部経路１３５に設けられた開閉弁（図示しない）が開状態となる。その結果、吐水口１３４から洗浄水が吐水されて、被洗浄者の人体を洗浄することができる。
【００３３】
また、ハンドノズル１３０Ａのノズル先端部１３３は、本体部１３２Ａから着脱可能である。例えば、図２（ｂ）に示すように、ノズル先端部１３３を本体部１３２Ａから取り外すことができる。  
次に、人体洗浄装置１００Ａの作用効果について、収納部１４０Ａ周辺の図を参照しながら説明する。  
なお、以下に説明する“幅”とは、次のように定義される。例えば、上述したトイレ装置１０を地面上に設置した場合、収納部１４０Ａの孔部１４１Ａの幅とは、地面に対し平行な方向に収納部１４０Ａを切断した場合、その孔部１４１Ａの切断面の内径をいう。また、孔部１４１Ａの深さとは、地面に対し垂直な方向に対する深さをいう。また、実施例１以外で登場する収納部においても、それぞれの収納部の孔部の幅とは、地面に対し平行な方向に収納部を切断した場合の孔部の切断面の内径をいう。  
また、ハンドノズル１３０Ａの幅とは、ハンドノズル１３０Ａの長手方向に垂直にハンドノズル１３０Ａを切断した場合、その切断面の外径をいう。また、ハンドノズル１３０Ａ、ノズル先端部１３３の長さとは、ハンドノズル１３０Ａの長手方向における長さをいう。
【００３４】
図３は、人体洗浄装置の作用効果を説明する図である。  
まず、実施例１に係わる収納部１４０Ａでは、孔部１４１Ａの深さがハンドノズル１３０Ａのノズル先端部１３３の長さに対し、浅くなっている。また、ハンドノズル１３０Ａにおいては、ノズル先端部１３３よりも、本体部１３２Ａのほうが太くなっている。そして、孔部１４１Ａの幅は、ハンドノズル１３０Ａの本体部１３２Ａの幅より広くなっている。
【００３５】
このため、ハンドノズル１３０Ａ全体を収納部１４０Ａに収納すると、ノズル先端部１３３が孔部１４１Ａ内で容易に倒れてしまう（図３（ａ）参照）。従って、収納部１４０Ａは、ハンドノズル１３０Ａ全体を安定して収納（支持）できない。これは、孔部１４１Ａの幅がノズル先端部１３３の幅より充分に広く、ハンドノズル１３０Ａがある程度の自重を備えていることによる。また、ハンドノズル１３０Ａ全体が地面に対し傾いてしまうので、ハンドノズル１３０Ａに接続されたホース部１２０も伸びきってしまう。
【００３６】
このように、ハンドノズル１３０Ａ全体を収納部１４０Ａに収納すると、ハンドノズル１３０Ａの収納が不安定になる。そして、この状態を見た使用者は、ハンドノズル１３０Ａの収納部１４０Ａへの収納が不安定であるため、適正な収納方法ではないと認識する。
【００３７】
一方、図３（ｂ）には、ハンドノズル１３０Ａから、ノズル先端部１３３を取り外した本体部１３２Ａを収納部１４０Ａ内に収納した状態が示されている。  
図示するように、この状態では、本体部１３２Ａの表面と孔部１４１Ａの側面との間に、若干の遊び（クリアランス）があるものの、本体部１３２Ａの幅が孔部１４１Ａの幅に近接している。このため、本体部１３２Ａは、収納部１４０Ａの底面１４３及び側面１４４により収納される。また、ノズル先端部１３３を取り外した分、本体部１３２Ａの自重は、ハンドノズル１３０Ａ全体よりも軽くなる。このため、ノズル先端部１３３の重心が収納部１４０Ａの支持面内から外れ難くなり、ノズル先端部１３３が傾斜せずに収納部１４０Ａに収納される。従って、本体部１３２Ａは、安定して収納部１４０Ａ内に収納される。
【００３８】
このような状況を認識した使用者は、ハンドノズル１３０Ａを収納部１４０Ａに収納する際、必然的にハンドノズル１３０Ａからノズル先端部１３３を取り外して、本体部１３２Ａのみを収納部１４０Ａに収納する。換言すれば、人体洗浄装置１００Ａは、使用者に対し、ハンドノズル１３０Ａからノズル先端部１３３を取り外す行為を誘発する機能を備えている。
【００３９】
そして、取り外されたノズル先端部１３３については、例えば、次亜塩素酸ナトリウム溶液等の消毒液内に浸漬されて、その外面及び内面が殺菌される。なお、この殺菌中には、消毒液に超音波を印加してもよい。これにより、ノズル先端部１３３に付着している汚物については除去され、黴菌については滅菌される。  
また、使用者は、次回の洗浄では、殺菌されたノズル先端部１３３を本体部１３２Ａに取り付けて、被洗浄者に対する洗浄行為に及ぶ。
【００４０】
このように、使用者は、被洗浄者を洗浄した後に、ハンドノズル１３０Ａを収納部１４０Ａに収納しようとすると、必然的にノズル先端部１３３を本体部１３２Ａから取り外す行為に及ぶ。そして、使用者は、次回からの洗浄では、洗浄されたノズル先端部１３３を本体部１３２Ａに取り付けて、被洗浄者を洗浄する。すなわち、人体洗浄装置１００Ａを用いれば、使用者は、ノズル先端部１３３の交換を忘れることがない。これにより、ハンドノズル１３０Ａの衛生性が常時確保される。  
また、人体洗浄装置１００Ａでは、ハンドノズル１３０Ａと給水源とが連結しているので連続吐水が可能である。
【実施例２】
【００４１】
次に、ハンドノズル１３０Ａを収納する収納部の形態を変形した別の人体洗浄装置１００Ｂについて説明する。  
図４は、人体洗浄装置の作用効果を説明する図である。  
まず、図４（ａ）に示すように、実施例２に係わる収納部１４０Ｂでは、孔部１４１Ｂの深さが上述した孔部１４１Ａよりも深くなっている。但し、孔部１４１Ｂの底面１４３には、例えば、三角錐状の突起部１４３ａが少なくとも１つ設けられている。このような突起部１４３ａを設けることにより、所謂、底面１４３の底上げがなされている。従って、見かけ上の孔部１４１Ｂの深さが上述した孔部１４１Ａと同程度となっている。そして、孔部１４１Ｂの幅は、ハンドノズル１３０Ａの本体部１３２Ａの幅より広くなっている。なお、ここで言う、収納部１４０Ｂ内の孔部１４１Ｂの幅とは、地面に対し平行な方向の幅をいう。
【００４２】
このため、ハンドノズル１３０Ａ全体を収納部１４０Ｂに収納すると、ハンドノズル１３０Ａが孔部１４１Ｂ内で容易に倒れてしまう。特に、収納部１４０Ｂでは、突起部１４３ａが障害となって、収納部１４０Ａよりもハンドノズル１３０Ａを収納し難くなる。また、ハンドノズル１３０Ａに接続されたホース部１２０も伸びきってしまう。
【００４３】
このように、収納部１４０Ｂは、ハンドノズル１３０Ａ全体を安定して収納できない。そして、この状態を見た使用者は、収納部１４０Ｂへのハンドノズル１３０Ａの収納が不安定であるため、適正な収納方法ではないと認識する。
【００４４】
一方、図４（ｂ）には、ハンドノズル１３０Ａから、ノズル先端部１３３を取り外した本体部１３２Ａを収納部１４０Ｂ内に収納した状態が示されている。  
図示するように、この状態では、本体部１３２Ａの表面と孔部１４１Ｂの側面との間に、若干の遊びがあるものの、本体部１３２Ａの幅が孔部１４１Ｂの幅に近接している。このため、本体部１３２Ａは、収納部１４０Ｂの突起部１４３ａ及び側面１４４によって収納される。また、ノズル先端部１３３を取り外した分、本体部１３２Ａの自重は、ハンドノズル１３０Ａ全体よりも軽くなる。このため、ノズル先端部１３３の重心が収納部１４０Ｂの支持面内から外れ難くなり、ノズル先端部１３３が傾斜せずに収納部１４０Ｂに収納される。従って、本体部１３２Ａは、安定して収納部１４０Ｂ内に収納される。
【００４５】
このような状況を認識した使用者は、ハンドノズル１３０Ａを収納部１４０Ｂに収納する際、必然的にハンドノズル１３０Ａからノズル先端部１３３を取り外して、本体部１３２Ａのみを収納部１４０Ｂに収納する。換言すれば、人体洗浄装置１００Ｂは、使用者に対し、ハンドノズル１３０Ａからノズル先端部１３３を取り外す行為を誘発する機能を備えている。また、取り外されたノズル先端部１３３については、上述したように、次亜塩素酸ナトリウム溶液等の消毒液内に浸漬されて、その外面及び内面が殺菌される。
【００４６】
そして、人体洗浄装置１００Ｂにおいても、上述した機能から、人体洗浄装置１００Ａと同様の効果を奏する。さらに、本実施の形態では、ハンドノズル１３０Ａの本体部１３２Ａが本体部１３２Ａがノズル先端部１３３に接触する面（これを、接続面１３２ａと称する。）が曲面であっても、少なくとも２つの突起部１４３ａを設ければ、その曲面の２点収納が可能になる（図４（ｂ）参照）。従って、本体部１３２Ａの接続面１３２ａが曲面であっても、この本体部１３２Ａを安定して収納することができる。
【実施例３】
【００４７】
次に、ハンドノズル１３０Ａを収納する収納部の形態を変形したさらに別の人体洗浄装置１００Ｃについて説明する。  
図５は、人体洗浄装置の作用効果を説明する図である。  
まず、図５（ａ）に示すように、実施例３に係わる収納部１４０Ｃでは、孔部１４１Ｃの深さがハンドノズル１３０Ａのノズル先端部１３３の長さに対し、浅くなっている。そして、孔部１４１Ｃの幅は、ハンドノズル１３０Ａの本体部１３２Ａの幅より広くなっている。ここで、収納部１４０Ｃ内の孔部１４１Ｃの幅とは、地面に対し平行な方向の幅をいう。なお、孔部１４１Ｃの内壁面は、本体部１３２Ａの外面に対応した構造となっている。
【００４８】
このため、ハンドノズル１３０Ａ全体を収納部１４０Ｃに収納すると、ハンドノズル１３０Ａが孔部１４１Ｃ内で容易に倒れてしまう。また、ハンドノズル１３０Ａに接続されたホース部１２０も伸びきってしまう。
【００４９】
このように、収納部１４０Ｃは、ハンドノズル１３０Ａ全体を安定して収納できない。そして、この状態を見た使用者は、収納部１４０Ｃへのハンドノズル１３０Ａの収納が不安定であるため、適正な収納方法ではないと認識する。
【００５０】
一方、図５（ｂ）には、ハンドノズル１３０Ａから、ノズル先端部１３３を取り外した本体部１３２Ａを収納部１４０Ｃ内に収納した状態が示されている。  
上述したように、孔部１４１Ｃの内壁面は、本体部１３２Ａの外面に対応した構造となっている。そして、本体部１３２Ａを孔部１４１Ｃ内に嵌め込むと、本体部１３２Ａの外面と、孔部１４１Ｃの内壁面とが適合する。従って、本体部１３２Ａは、収納部１４０Ｃの底面１４３及び側面１４４によって安定して収納される。
【００５１】
このような状況を認識した使用者は、ハンドノズル１３０Ａを収納部１４０Ｃに収納する際、必然的にハンドノズル１３０Ａからノズル先端部１３３を取り外して、本体部１３２Ａのみを収納部１４０Ｃに収納する。換言すれば、人体洗浄装置１００Ｃは、使用者に対し、ハンドノズル１３０Ａからノズル先端部１３３を取り外す行為を誘発する機能を備えている。また、取り外されたノズル先端部１３３については、上述したように、次亜塩素酸ナトリウム溶液等の消毒液内に浸漬されて、その外面及び内面が殺菌される。
【００５２】
そして、人体洗浄装置１００Ｃにおいても、上述した機能から、人体洗浄装置１００Ａと同様の効果を奏する。さらに、本実施の形態においては、ハンドノズル１３０Ａを収納部１４０Ｃに収納すると、本体部１３２Ａの外面と、孔部１４１Ｃの内壁が嵌合する。従って、より安定して本体部１３２Ａを収納することができる。
【実施例４】
【００５３】
次に、ハンドノズル１３０Ａを収納する収納部の形態を変形したさらに別の人体洗浄装置１００Ｄについて説明する。  
図６は、人体洗浄装置の作用効果を説明する図である。  
まず、図６（ａ）に示すように、実施例４に係わる収納部１４０Ｄでは、孔部１４１Ｄの深さがハンドノズル１３０Ａのノズル先端部１３３の長さに対し、浅くなっている。そして、孔部１４１Ｄの幅は、ハンドノズル１３０Ａの本体部１３２Ａの幅より広くなっている。ここで、収納部１４０Ｄ内の孔部１４１Ｄの幅とは、地面に対し平行な方向の幅をいう。なお、孔部１４１Ｄの底面１４３には、突起部１４３ｂが設けられている。突起部１４３ｂの外面は、ハンドノズル１３０Ａの内部経路１３５の内壁面に対応している。
【００５４】
このため、ハンドノズル１３０Ａ全体を収納部１４０Ｄに収納すると、ハンドノズル１３０Ａが孔部１４１Ｄ内で容易に倒れてしまう。特に、収納部１４０Ｄでは、突起部１４３ｂが障害となって、収納部１４０Ａよりもハンドノズル１３０Ａを収納し難くなる。また、ハンドノズル１３０Ａに接続されたホース部１２０も伸びきってしまう。
【００５５】
このように、収納部１４０Ｄは、ハンドノズル１３０Ａ全体を安定して収納できない。そして、この状態を見た使用者は、収納部１４０Ｄへのハンドノズル１３０Ａの収納が不安定であるため、適正な収納方法ではないと認識する。
【００５６】
一方、図６（ｂ）には、ハンドノズル１３０Ａから、ノズル先端部１３３を取り外した本体部１３２Ａを収納部１４０Ｄ内に収納した状態が示されている。  
上述したように、孔部１４１Ｄの底面１４３には、突起部１４３ｂが設けられている。そして、本体部１３２Ａを孔部１４１Ｄ内に収納すると、本体部１３２Ａの内部経路１３５と、突起部１４３ｂとが適合する。従って、本体部１３２Ａは、収納部１４０Ｄの底面１４３、突起部１４３ｂ及び側面１４４によって安定して収納される。
【００５７】
このような状況を認識した使用者は、ハンドノズル１３０Ａを収納部１４０Ｄに収納する際、必然的にハンドノズル１３０Ａからノズル先端部１３３を取り外して、本体部１３２Ａのみを収納部１４０Ｄに収納する。換言すれば、人体洗浄装置１００Ｄは、使用者に対し、ハンドノズル１３０Ａからノズル先端部１３３を取り外す行為を誘発する機能を備えている。また、取り外されたノズル先端部１３３については、上述したように、次亜塩素酸ナトリウム溶液等の消毒液内に浸漬されて、その外面及び内面が殺菌される。
【００５８】
そして、人体洗浄装置１００Ｄにおいても、上述した機能から、人体洗浄装置１００Ａと同様の効果を奏する。さらに、本実施の形態では、ハンドノズル１３０Ａを収納部１４０Ｄに収納すると、内部経路１３５と突起部１４３ｂとが嵌合する。従って、より安定して本体部１３２Ａを収納することができる。
【実施例５】
【００５９】
次に、ハンドノズルを収納する収納部の形態を変形したさらに別の人体洗浄装置１００Ｅについて説明する。  
まず、この実施の形態のハンドノズル１３０Ｂと収納部１４０Ｅについて説明する。  
図７は、ハンドノズルの要部斜視模式図である。  
ハンドノズル１３０Ｂは、上述したように、本体部１３２Ｂにノズル先端部１３３を取り付けたり（図７（ａ）参照）、本体部１３２Ｂからノズル先端部１３３を取り外すことができる（図７（ｂ）参照）。
【００６０】
但し、本体部１３２Ｂの操作レバー１３１の両側には、断面が円弧状の凹部１３７（凹状の窪み）が設けられている。ここで、凹部１３７の断面とは、ハンドノズル１３０Ｂの長手方向に垂直にハンドノズル１３０Ｂを切断した場合の断面をいう。なお、この凹部１３７は、ノズル先端部１３３には形成されていない。また、図７では、２つの凹部１３７を示したが、その数については、増減してよい。
【００６１】
図８は、収納部の要部斜視模式図である。  
収納部１４０Ｅには、孔部１４１Ｅと、排水口１４２とが設けられている。但し、この収納部１４０Ｅでは、孔部１４１Ｅの側面１４４に、断面が円弧状の凸部１４４ａが２つ設けられている。ここで、凸部１４４ａの断面とは、孔部１４１Ｅの底面１４３に対し平行な方向に収納部１４０Ｅを切断した場合の断面をいう。そして、この凸部１４４ａの形状と位置は、ハンドノズル１３０Ｂのノズル本体部１３２Ｂに設けた凹部１３７の形状と位置に対応している。なお、凹部１３７の数については、上述した凸部１４４ａの数に応じて適宜変更される。
【００６２】
次に、人体洗浄装置１００Ｅの作用効果について説明する。  
図９は、人体洗浄装置の作用効果を説明する図である。  
まず、図９（ａ）に示すように、実施例５に係わる収納部１４０Ｅでは、孔部１４１Ｅの深さがハンドノズル１３０Ｂのノズル先端部１３３の長さに対し、浅くなっている。そして、孔部１４１Ｅの幅は、ハンドノズル１３０Ｂのノズル本体部１３２Ｂの幅より広くなっている。ここで、収納部１４０Ｅ内の孔部１４１Ｅの幅とは、地面に対し平行な方向の幅をいう。なお、孔部１４１Ｅの側面１４４には、上述した凸部１４４ａが設けられている。
【００６３】
このため、ハンドノズル１３０Ｂ全体を収納部１４０Ｅに収納すると、ハンドノズル１３０Ｂが孔部１４１Ｅ内で容易に倒れてしまう。また、ハンドノズル１３０Ｂに接続されたホース部１２０も伸びきってしまう。
【００６４】
このように、収納部１４０Ｅは、ハンドノズル１３０Ｂ全体を安定して収納できない。そして、この状態を見た使用者は、収納部１４０Ｅへのハンドノズル１３０Ｂの収納が不安定であるため、適正な収納方法ではないと認識する。
【００６５】
一方、図９（ｂ）には、ハンドノズル１３０Ｂから、ノズル先端部１３３を取り外したノズル本体部１３２Ｂを収納部１４０Ｅ内に収納した状態が示されている。  
上述したように、孔部１４１Ｅの側面１４４には、凸部１４４ａが設けられている。そして、ノズル本体部１３２Ｂを孔部１４１Ｅ内に収納すると、ノズル本体部１３２Ｂの凹部１３７と、凸部１４４ａとが適合する。従って、ノズル本体部１３２Ｂは、収納部１４０Ｅの底面１４３、側面１４４及び凸部１４４ａによって安定して収納される。
【００６６】
このような状況を認識した使用者は、ハンドノズル１３０Ｂを収納部１４０Ｅに収納する際、必然的にハンドノズル１３０Ｂからノズル先端部１３３を取り外して、ノズル本体部１３２Ｂのみを収納部１４０Ｅに収納する。換言すれば、人体洗浄装置１００Ｅは、使用者に対し、ハンドノズル１３０Ｂからノズル先端部１３３を取り外す行為を誘発する機能を備えている。また、取り外されたノズル先端部１３３については、上述したように、次亜塩素酸ナトリウム溶液等の消毒液内に浸漬されて、その外面及び内面が殺菌される。
【００６７】
そして、人体洗浄装置１００Ｅにおいても、上述した機能から、人体洗浄装置１００Ａと同様の効果を奏する。さらに、本実施の形態では、ハンドノズル１３０Ｂのノズル本体部１３２Ｂを収納部１４０Ｅに収納すると、凹部１３７と凸部１４４ａとが嵌合する。従って、より安定してノズル本体部１３２Ｂを収納することができる。
【００６８】
また、本実施の形態では、孔部１４１Ｅ内の凸部１４４ａの配置位置を適宜調整することもできる。これにより、ハンドノズル１３０Ｂを収納部１４０Ｅに収納する際のハンドノズル１３０Ｂの回転方向を使用者の使い勝手に応じて適宜固定できる。
【００６９】
例えば、操作レバー１３１の向きを、常時、トイレ装置１０の手前側に向けたいと、使用者が望む場合もある。このような場合、凸部１４４ａの配置位置を適宜調整することにより、その向きを常に手前に向けさせることができ、次回使用時の使い勝手が向上する。
【実施例６】
【００７０】
次に、ハンドノズル１３０Ｂを収納する収納部の形態を変形したさらに別の人体洗浄装置１００Ｆについて説明する。  
図１０は、人体洗浄装置の作用効果を説明する図である。  
まず、図１０（ａ）に示すように、収納部１４０Ｆは、上述した収納部１４０Ｅの底面１４３が貫通した構造となっている。そして、孔部１４１Ｆの深さは、ハンドノズル１３０Ｂのノズル先端部１３３の長さに対し、浅くなっている。また、孔部１４１Ｆの幅は、ハンドノズル１３０Ｂのノズル本体部１３２Ｂの幅より広くなっている。ここで、収納部１４０Ｆ内の孔部１４１Ｆの幅とは、地面に対し平行な方向の幅をいう。なお、孔部１４１Ｆの側面１４４には、上述した凸部１４４ａが設けられている。また、ノズル先端部１３３には、上述したように、凸部１４４ａに対応する切り欠きが設けられていない。
【００７１】
このため、ハンドノズル１３０Ｂ全体を収納部１４０Ｆに収納しても、凸部１４４ａがノズル先端部１３３に対し障害となって、ノズル先端部１３３の中途までしか、ハンドノズル１３０Ｂが収納部１４０Ｆ内に挿入されない。
【００７２】
このように、収納部１４０Ｆは、ハンドノズル１３０Ｂ全体を安定して収納できない。そして、この状態を見た使用者は、収納部１４０Ｆへのハンドノズル１３０Ｂの収納が不安定であるため、適正な収納方法ではないと認識する。
【００７３】
一方、図１０（ｂ）には、ハンドノズル１３０Ｂから、ノズル先端部１３３を取り外したノズル本体部１３２Ｂを収納部１４０Ｆ内に収納した状態が示されている。  
上述したように、孔部１４１Ｆの側面１４４には、凸部１４４ａが設けられている。そして、ノズル本体部１３２Ｂを孔部１４１Ｆ内に収納すると、ノズル本体部１３２Ｂの凹部１３７と、凸部１４４ａとが適合する。従って、ノズル本体部１３２Ｂは、収納部１４０Ｆの側面１４４及び凸部１４４ａによって安定して収納される。
【００７４】
このような状況を認識した使用者は、ハンドノズル１３０Ｂを収納部１４０Ｆに収納する際、必然的にハンドノズル１３０Ｂからノズル先端部１３３を取り外して、ノズル本体部１３２Ｂのみを収納部１４０Ｆに収納する。換言すれば、人体洗浄装置１００Ｆは、使用者に対し、ハンドノズル１３０Ｂからノズル先端部１３３を取り外す行為を誘発する機能を備えている。また、取り外されたノズル先端部１３３については、上述したように、次亜塩素酸ナトリウム溶液等の消毒液内に浸漬されて、その外面及び内面が殺菌される。
【００７５】
そして、人体洗浄装置１００Ｆにおいても、上述した機能から、人体洗浄装置１００Ａと同様の効果を奏する。さらに、本実施の形態では、ハンドノズル１３０Ｂのノズル本体部１３２Ｂを収納部１４０Ｆに収納すると、凹部１３７と凸部１４４ａとが嵌合する。従って、より安定してノズル本体部１３２Ｂを収納することができる。
【００７６】
また、本実施の形態では、孔部１４１Ｆ内の凸部１４４ａの配置位置を適宜調整することもできる。これにより、収納部１４０Ｆは、上述した収納部１４０Ｅと同様の効果を奏する。
【実施例７】
【００７７】
次に、ハンドノズルを収納する収納部の形態を変形したさらに別の人体洗浄装置１００Ｇについて説明する。  
まず、この実施の形態の収納部１４０Ｇについて説明する。  
図１１は、収納部の要部斜視模式図である。  
収納部１４０Ｇには、孔部１４１Ｇと、排水口１４２とが設けられている。また、この収納部１４０Ｇでは、孔部１４１Ｇの側面１４４に、切り欠き１４４ｂが対向するように、２つ設けられている。この切り欠き１４４ｂの幅は、ハンドノズル１３０Ａのノズル先端部１３３の幅よりも広く、ノズル本体部１３２Ａの幅より狭くなっている。すなわち、切り欠き１４４ｂの幅は、ノズル先端部１３３の太さよりも広く、ノズル本体部１３２Ａの太さよりも狭い。なお、切り欠き１４４ｂの数については、必要に応じて適宜変更される。
【００７８】
図１２は、人体洗浄装置の作用効果を説明する図である。  
まず、図１２（ａ）に示すように、収納部１４０Ｇは、上述した切り欠き１４４ｂが設けられている。また、孔部１４１Ｇの深さは、ハンドノズル１３０Ａのノズル先端部１３３の長さに対し、浅くなっている。また、孔部１４１Ｇの幅は、ハンドノズル１３０Ａのノズル本体部１３２Ａの幅より広くなっている。ここで、収納部１４０Ｇ内の孔部１４１Ｇの幅とは、地面に対し平行な方向の幅をいう。
【００７９】
このため、ハンドノズル１３０Ａ全体を収納部１４０Ｇに収納すると、ノズル先端部１３３の幅よりも広い幅の切り欠き１４４ｂがあるために、ノズル先端部１３３が切り欠き１４４ｂを介して収納部１４０Ｇから外れ易くなる。すなわち、ハンドノズル１３０Ａは、収納部１４０Ｇから地面に落下し易い。
【００８０】
このように、収納部１４０Ｇは、ハンドノズル１３０Ａ全体を安定して収納できない。そして、この状態を見た使用者は、収納部１４０Ｇへのハンドノズル１３０Ａの収納が不安定であるため、適正な収納方法ではないと認識する。
【００８１】
一方、図１２（ｂ）には、ハンドノズル１３０Ａから、ノズル先端部１３３を取り外したノズル本体部１３２Ａを収納部１４０Ｇ内に収納した状態が示されている。  
上述したように、切り欠き１４４ｂの幅は、ハンドノズル１３０Ａのノズル本体部１３２Ａの幅より狭くなっている。従って、ノズル本体部１３２Ａは、切り欠き１４４ｂを介して収納部１４０Ｇから外れることがない。従って、ノズル本体部１３２Ａは、収納部１４０Ｇの側面１４４及び底面１４３によって安定して収納される。
【００８２】
このような状況を認識した使用者は、ハンドノズル１３０Ａを収納部１４０Ｇに収納する際、必然的にハンドノズル１３０Ａからノズル先端部１３３を取り外して、ノズル本体部１３２Ａのみを収納部１４０Ｇに収納する。換言すれば、人体洗浄装置１００Ｇは、使用者に対し、ハンドノズル１３０Ａからノズル先端部１３３を取り外す行為を誘発する機能を備えている。また、取り外されたノズル先端部１３３については、上述したように、次亜塩素酸ナトリウム溶液等の消毒液内に浸漬されて、その外面及び内面が殺菌される。そして、人体洗浄装置１００Ｇにおいても、上述した機能から、人体洗浄装置１００Ａと同様の効果を奏する。
【００８３】
なお、殺菌後の清潔なノズル先端部１３３については、ノズル本体部１３２Ａ、１３２Ｂへの取り付けを使用者に促すために、トイレ装置１０付近に列挙してもよい。具体的には、清潔なノズル先端部１３３を並べることができる収納ケース、収納ボックス等を人体洗浄装置１００Ａ〜１００Ｇの近傍に設置してもよい。  
また、ノズル先端部１３３の殺菌に代えて、使い捨て用のノズル先端部を交換部品として用いてもよい。
【００８４】
また、収納部１４０Ａ〜１４０Ｇの近傍には、使用者に対し、ハンドノズル１３０Ａ、１３０Ｂのノズル本体部１３２Ａ、１３２Ｂのみを収納することを促すためのラベルを表示していもよい。たとえは、このラベルには、ノズル本体部１３２Ａ、１３２Ｂのみの絵図が描かれている。このようなラベルを使用者が見ると、使用者は、ハンドノズル１３０Ａ、１３０Ｂのノズル本体部１３２Ａ、１３２Ｂのみを収納部１４０Ａ〜１４０Ｇに収納するという行為に促される。
【００８５】
また、人体洗浄装置１００Ａ〜１００Ｇには、ハンドノズル１３０Ａ、１３０Ｂを用いて、洗浄行為が終了する毎に（あるいは定期的に）、ノズル先端部１３３の交換を使用者に促すブザー警告、点滅警告等をする警告部を設けてもよい。
【００８６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、各部材の形状、寸法、材質、配置などの設置形態などは、例示したものに限定されるわけではなく適宜変更することができる。  
また、前述した各実施の形態が備える各要素は、技術的に可能な限りにおいて組み合わせたり、複合したりすることができ、これらを組み合わせたものも本発明の特徴を含む限り本発明の範囲に包含される。
【符号の説明】
【００８７】
１０ トイレ装置  
１００Ａ、１００Ｂ、１００Ｃ、１００Ｄ、１００Ｅ、１００Ｆ、１００Ｇ 人体洗浄装置  
１１０ ケーシング部  
１１１ 熱交換器  
１２０ ホース部  
１３０Ａ、１３０Ｂ ハンドノズル  
１３１ 操作レバー  
１３２Ａ、１３２Ｂ ノズル本体部  
１３２ａ 接続面  
１３３ ノズル先端部  
１３４ 吐水口  
１３５ 内部経路  
１３６ 操作ボタン  
１３７  凹部
１４０Ａ、１４０Ｂ、１４０Ｃ、１４０Ｄ、１４０Ｅ、１４０Ｆ、１４０Ｇ 収納部
１４１Ａ、１４１Ｂ、１４１Ｃ、１４１Ｄ、１４１Ｅ、１４１Ｆ、１４１Ｇ 孔部  
１４２ 排水口  
１４３ 底面  
１４３ａ、１４３ｂ 突起部  
１４４ 側面  
１４４ａ 凸部  
１４４ｂ 切り欠き  
１５０ 制御部  
１７０ 着座センサ  
１８０ 入室検知センサ  
３００ 便蓋  
４００ 便座  
５００ 便器  
【図１】
2010255365.tif 000003
【図２】
2010255365.tif 000004
【図３】
2010255365.tif 000005
【図４】
2010255365.tif 000006
【図５】
2010255365.tif 000007
【図６】
2010255365.tif 000008
【図７】
2010255365.tif 000009
【図８】
2010255365.tif 000010
【図９】
2010255365.tif 000011
【図１０】
2010255365.tif 000012
【図１１】
2010255365.tif 000013
【図１２】
2010255365.tif 000014